(57)【要約】【課題】底部と側面部と妻面部とでなるトレー状等の段ボール箱において、青果物等内容物の重量と内容物から発散される水分等により底部に底弛みが発生しない底弛み防止段ボール箱の提供にある。【解決手段】表ライナー２０、波形中芯２４及び裏ライナー２６を貼合わせた段ボールで形成され、方形状の底部１０と、該底部にスコアｈを介して連設する側面部１２と、クリーズｇを介して連設する妻面部１４とでなる形状の段ボール箱において、上下スコアｈに沿って底部１０の幅Ｗ１に相当する幅Ｗ２を有する平坦な中芯２２が表ライナー２０の内側に水性糊剤で貼着され、この貼着部分がスコアｈと平行な蒲鉾状の凸型を底部内面に形成している底弛み防止段ボール箱１である。【選択図】図２
2005075358.tif 000002
【特許請求の範囲】
【請求項１】
表ライナー、波形中芯および裏ライナーを貼り合わせた段ボールで形成され、少なくとも箱体の方形状の底部と、該底部の上下にはスコアを介して連設する側面部と、該底部の左右にはクリーズを介して連設する妻面部とでなる形状の段ボール箱において、前記上下のスコアに沿って該スコア内の底部の略幅に相当する幅を有する、平坦な中芯もしくはライナーが表ライナーの内側に貼着され、該貼着されている部分がスコアと平行な蒲鉾状の凸型を形成していることを特徴とする底弛み防止段ボール箱。
【請求項２】
上記表ライナーの内側に貼着される平坦な中芯もしくはライナーは、該表ライナー側に相当する面の全面に水性糊剤が施されていることを特徴とする請求項１記載の底弛み防止段ボール箱。
【発明の詳細な説明】
【技術分野】
【０００１】
本発明は、商品を包装し、運搬（送）等に用いられる外装用の段ボール箱に関するものであり、特に、青果物等を収納し搬送する蓋板のない段ボール箱（トレー状を含む）で、これら内容物の重さや水分等で底弛みとなる現象を防止する底弛み防止段ボール箱に関する。
【背景技術】
【０００２】
従来、青果物等の搬（輸）送時の包装として、大部分が段ボール箱を使用していて、その中でも、例えば桃、梨、さくらんぼ、きゅうり等では、蓋板のないトレー形状等の段ボール箱が知られ、前記青果物の他にも広く使用されている。
【０００３】
上記段ボール箱に使用される段ボールとしては、表ライナーと、波形の中芯と、裏ライナーとが、波形中芯のフルート（波形の形状）の山部の頂点で接着された両面段ボールが使用されているが、この両面段ボールでなる上記蓋板のないトレー形状等の段ボール箱では、上記の如く青果物を収納すると、その青果物の重量と青果物から発散される水分等により底部が弛む底弛みが発生し、これら箱を積み上げた時に内容物（青果物）に傷がついてしまうという問題点があった。
【発明の開示】
【発明が解決しようとする課題】
【０００４】
本発明は、かかる従来技術の問題点を解決するものであり、その課題とするところは、
表ライナーと、波形中芯と、裏ライナーとを貼り合わせた段ボールで形成され、少なくとも箱体の方形状の底部と、該底部の上下にはスコア（横罫線）を介して連設する側面部と、該底部の左右にはクリーズ（縦罫線）を介して連設する妻面部とでなる、蓋板のないいわゆるトレー形状等の段ボール箱において、桃など青果物等の内容物の重量とその内容物から発散される水分等により底部に底弛みが発生しない底弛み防止段ボール箱を提供することにある。
【課題を解決するための手段】
【０００５】
本発明に於いて上記課題を達成するために、まず請求項１の発明では、表ライナー、波形中芯および裏ライナーを貼り合わせた段ボールで形成され、少なくとも箱体の方形状の底部と、該底部の上下にはスコアを介して連設する側面部と、該底部の左右にはクリーズを介して連設する妻面部とでなる形状の段ボール箱において、前記上下のスコアに沿って該スコア内の底部の略幅に相当する幅を有する、平坦な中芯もしくはライナーが表ライナーの内側に貼着され、該貼着されている部分がスコアと平行な蒲鉾状の凸型を形成していることを特徴とする底弛み防止段ボール箱としたものである。
【０００６】
また、請求項２の発明では、上記表ライナーの内側に貼着される平坦な中芯もしくはライナーは、該表ライナー側に相当する面の全面に水性糊剤が施されていることを特徴とする請求項１記載の底弛み防止段ボール箱としたものである。
【０００７】
上記請求項１でいうクリーズおよびスコアとは、段ボール箱を作製する場合、長さ、幅および深さをそれぞれ正確に区分するため、必要な罫線で、クリーズは縦罫線であり、波形中芯の波形（フルート）に対し平行に施され、スコアは横罫線で、波形中芯のフルートに対し直角（直交するよう）に施されるものをいう。
【発明の効果】
【０００８】
本発明は以上の構成であるから、下記に示す如き効果がある。
【０００９】
即ち、上記請求項１に係る発明によれば、表ライナー、波形中芯および裏ライナーを貼り合わせた段ボールで形成され、少なくとも箱体の方形状の底部と、該底部の上下にはスコアを介して連設する側面部と、該底部の左右にはクリーズを介して連設する妻面部とでなる形状の段ボール箱において、前記上下のスコアに沿って該スコア内の底部の略幅に相当する幅を有する平坦な中芯もしくはライナーを表ライナーの内側に貼着することによって、その貼着された部分が、乾燥により収縮して反りが発生し、表ライナー側にスコアと平行な樋状の凹型を形成するので、この段ボールを用いて蓋板のないトレー形状等の段ボール箱とした時に、底部の内面、すなわち裏ライナー側が上下のスコアに沿って蒲鉾状の凸型を形成するようになり、よって青果物等内容物の重量や内容物から発散される水分等がかなり多くあっても、底部に底弛みが発生しない底弛み防止段ボール箱を提供することができる。
【００１０】
また、上記請求項２に係る発明によれば、表ライナーの内側に貼着される平坦な中芯もしくはライナーの表ライナー側に相当する面、即ち波形中芯側と反対側の面の全面に水性糊剤が施されて貼着されているので、平坦な中芯もしくはライナーが貼着され乾燥されると水性糊剤が施された面でその水分が蒸発して、より大きな収縮現象を起こすようになる。その結果表ライナー側に反りが発生し、スコアと平行な樋状の凹型を形成するようになる。これは表ライナー、平坦な中芯もしくはライナーは、水性糊剤の水分により紙の横目、すなわち横方向（クリーズの方向）の方が紙の縦目、即ち縦方向（スコアの方向）より大きく収縮することから起こる現象を利用したもので、よってより大きな樋状の凹部を形成するようになり、底部に底弛みが発生しない底弛み防止段ボール箱を提供することができる。
【００１１】
従って本発明は、商品を包装し、搬（輸）送等に用いられる段ボール箱で、特に、桃、梨、さくらんぼ、きゅうり等青果物を収納し輸送する蓋板のないトレー状等段ボール箱として、優れた実用上の効果を発揮する。
【発明を実施するための最良の形態】
【００１２】
以下本発明を実施するための最良の形態を図面を用いて詳細に説明する。
【００１３】
図１は、本発明の底弛み防止段ボール箱の一実施の形態を示す斜視図であり、図２は、本発明の底弛み防止段ボール箱のブランクの一事例を説明するための模式的斜視図であり、図３は、図２に示すブランクのＡ−Ａ面およびＢ−Ｂ面を表す断面図である。また、図４は、図１の底弛み防止段ボール箱のＢ−Ｂ面を表す断面図であり、図５および図６は、本発明の底弛み防止段ボール箱のブランクの他の事例を示す展開図とそれによる底弛み防止段ボール箱の斜視図である。
【００１４】
本発明は、例えば図１に示すように、長方形状の底部（１０）と、この底部（１０）の長手方向に伸びる上下のスコア（ｈ）を介して連設し、このスコア（ｈ）で折られた側面部（１２）と、底部（１０）と左右のクリーズ（ｇ）を介して連設し、このクリーズ（ｇ）で折られた妻面部（１４）とでなる略トレー状の段ボール箱に関するもので、特に、桃や梨等の如きその重量と発散する水分とにより底部（１０）に発生し易い底弛みを防止する底弛み防止段ボール箱（１）に関するものである。
【００１５】
そこで、上記請求項１に係る発明は、例えば図２に示すように、表ライナー（２０）と、波形中芯（２４）と、裏ライナー（２６）とを、中間にある波形中芯（２４）のフルート（波形の形状）の山部の頂点に塗布された糊剤で貼り合わせて段ボールとする際に、この表ライナー（２０）と波形中芯（２４）との間に、平坦な中芯（２２）を挟み込んで貼
着した段ボールでなるブランク（３）を使用し、図１に示すような底弛み防止段ボール箱（１）とするものである。
【００１６】
このブランク（３）での貼着状態は、図２のＡ−Ａ面断面として、図３（ａ）に示すように、表ライナー（２０）の裏面全面にコルゲーターで塗布された糊剤で平坦な中芯（２２）の表面が貼り合わされ、この平坦な中芯（２２）の裏面に波形中芯（２４）の表側のフルートの山部の頂点（２４ａ）にコルゲーターで塗布された糊剤で貼り合わされ、さらにこの波形中芯（２４）の裏側のフルートの山部の頂点（２４ｂ）に塗布された糊剤で裏ライナー（２６）の裏面に貼り合わされた形態の段ボールでなるブランク（３）となっている。
【００１７】
本発明の底弛み防止段ボール箱を構成する上記ブランク（３）の形態は、例えば図２に示すように、長方形状の底部（１０）と、この底部（１０）の上下には横罫線であるスコア（ｈ）を介して連設し、両端部には折り込みフラップ（１２ａ）が縦罫線であるクリーズ（ｇ）を介して連設する側面部（１２）と、この底部（１０）の左右にはクリーズ（ｇ）を介して連設し、さらにその端部に妻面内側折り返し片（１４ａ）がスコア（ｈ）を介して連設する妻面部（１６）とでなり、この折り返し片（１４ａ）の両端部には差込み片付折り込みフラップ（１４ｂ）がスコア（ｈ）を介して連設しているトレー状段ボール箱の形態を示すものである。
【００１８】
従って本発明では、図２に示すように、ブランク（３）の上下のスコア（ｈ）に沿って、このスコア（ｈ）内にある底部（１０）の幅（Ｗ１）に略等しい幅（Ｗ２）の平坦な中芯（２２）が表ライナー（２０）の内側に貼着されていて、例えば図２のＢ−Ｂ面断面図として図３（ｂ）に示すように、表ライナー（２０）の内側に貼着されている平坦な中芯（２２）の部分が反って、底部（１０）にスコア（ｈ）と平行な樋状の凹型を形成しているフランク（３）を用いるものである。
【００１９】
上記のように、底部（１０）にスコア（ｈ）と平行な樋状の凹型を形成すれば、本発明の目的は達成されるが、この形態の段ボールを製造するには、図２に示すように、波形中芯（２４）の波に直交する方向に走行する表ライナー（２０）と、波形中芯（２４）との間に、底部（１０）の両スコア（ｈ）内の幅（Ｗ１）に相当する幅（Ｗ２）を有する巻き取り状（ウエブ状）の平坦な中芯（２２）を挟んで接着するようにするため、底部（１０）とともに、左右端に連設する妻面部（１４）および折り返し片（１４ａ）にもスコア（ｈ）と平行な樋状の凹型が形成される。
【００２０】
また、上記請求項２に係る発明は、例えば図２に示すように、表ライナー（２０）と波形中芯（２４）との間に貼着される平坦な中芯（２２）は、その表面、即ち表ライナー（２０）側に相当する面の全面に水性糊剤が施されて貼着されているものである。
【００２１】
上記平坦な中芯（２２）の表面全面への水性糊剤の塗布が、表ライナー（２０）の裏面全面に施しても構わない。
【００２２】
これは、例えば図３（ｂ）に示すように、表ライナー（２０）の内側に貼着される平坦な中芯（２２）の表ライナー（２０）側の面（２２ａ）、即ち波形中芯（２４）側と反対側の面全面に水性糊剤が施されて貼着されているもので、この水性糊剤が施された平坦な中芯（２２）およびそれに貼着される表ライナー（２０）は、水性糊剤の水分により紙の横目、すなわちスコア（ｈ）と直交する方向（平坦な中芯（２２）の幅（Ｗ２）方向）に大きく伸縮するので、その結果表ライナー（２０）側に大きな樋状の凹部を形成するようになる。
【００２３】
上記のような表ライナー（２０）側に大きな樋状の凹部を形成されたブランクを用いて図１に示すような段ボール箱とすると、例えば図１のＢ−Ｂ面断面を示す図４の断面図に示すように、底部（１０）の内面すなわち裏ライナー（２６）側にスコア（ｈ）に平行な蒲鉾状の凸型を形成するようになる。
【００２４】
この底部（１０）に形成された蒲鉾状の凸型によって、例えば青果物等内容物のよりおおきな重量と内容物から発散される水分等があったとしても、底弛みが発生し難い底弛み防止段ボール箱とするものである。
【００２５】
上記表ライナー（２０）の内側に貼着する平坦な中芯（２２）に代え、平坦なライナーとすることもできる。この平坦なライナーとしては、表ライナーおよび裏ライナーとして使用しているライナーが使用される。
【００２６】
上記本発明が適用可能な底弛み防止段ボール箱の形状として、例えば図５の展開図に示すように、底部（１０）と、その底部（１０）の上下左右にスコア（ｈ）、クリーズ（ｇ）を介してそれぞれ側面部（１２）、妻面部（１４）を有するブランクを用いたトレー（シングル）状段ボール箱がある。
【００２７】
また、図１および図２に示すように、このトレー（シングル）の妻面部（１４）の端部に折り返し片（１４ａ）がクリーズ（ｇ）を介して連設しているセミダブルの通称青果物トレーがある。
【００２８】
あるいは、図６（ａ）の展開図に示すように、さらに上記青果物トレーの上下側面部（１２）の端部にも外側折り返し片（１２ｂ）がスコア（ｈ）を介して連設しているブランクを用いて、図６（ｂ）の斜視図に示すようなトレー（ダブル）状段ボール箱としたものなどが挙げられる。
【００２９】
上記各トレー状段ボール箱に使用する段ボールの種類としては、Ａ段が一般的であり、そのＡ段とは、図３（ａ）に示すように、波形中芯（２４）のフルート（波形）の山数が３２〜３６／３０ｃｍ、高さが４．５〜４．８ｍｍ、段ボールの厚さが約５ｍｍのものである。
【００３０】
また上記段ボールを構成する表ライナー（２０）および裏ライナー（２６）としては、段ボールに使用される目的によって、外装用ライナーと内装用ライナーに大別されるが、本発明の底弛み防止段ボール箱には、前者の外装用ライナーが使用され、上記Ａ段で、例えばクラフトＡ級２８０ｇ／ｍ２  （坪量）程度のものが使用される。
【００３１】
また、上記表ライナー（２０）の内側に貼着される平坦なライナー（図示せず）としては、外装用でクラフトＡ級１８０〜２００ｇ／ｍ２  程度のものが使用される。
【００３２】
また、上記波形中芯（２４）の原紙としては、Ａ級あるいはＢ級２８０ｇ／ｍ２  （坪量）程度のもが使用され、本発明で使用する表ライナー（２０）の内側に貼着される平坦な中芯（２２）としては、Ａ級、Ｂ級、Ｃ級のいずれでもよく、１２０〜１６０ｇ／ｍ２
程度のものが好適に使用される。
【００３３】
また、例えば図３（ｂ）に示すように、上記表ライナー（２０）の内側に貼着される平坦な中芯（２２）の表ライナー（２０）側の面（２２ａ）に施す水性糊剤としては、例えばでんぷんを水酸化ナトリウムとともに加熱水で膨潤破壊させたキャリアー部液と、でんぷんをホウ砂とともに比較的低温の水に分散させたメイン部液を混合させたもので、比較的低粘度で高濃度の澱粉糊として使用され、段ボール紙の製造中にコルゲーター（貼合機
）を用いて片面５ｇ／ｍ２  、両面１０ｇ／ｍ２  （ドライ）程度の塗布量でロールコートされる。なお波形中芯（２４）の裏側のフルートの山部の頂点（２４ｂ）と裏ライナー（２６）との貼着および波形中芯（２４）の表側のフルートの山部の頂点（２４ａ）と平坦な中芯（２２）との貼着に使用する糊剤もこの水性糊剤を用いるものである。
【００３４】
以下に、実施例にて本発明を具体的に説明する。
【実施例１】
【００３５】
Ａ級２８０ｇ／ｍ２  の表ライナー、Ａ級１８０ｇ／ｍ２  の波形中芯、Ａ級２８０ｇ／ｍ２  の裏ライナーを用いた基本構成のＡ段ボールに、幅３５０ｍｍで、Ａ級１８０ｇ／ｍ２  の平坦な中芯の表面全面に、でんぷんを主体とした水性糊剤（貼合糊）をコルゲーターで３０ｇ／ｍ２  程度の塗布量で塗布し、この塗布されたものを、表ライナーの内側に入れて貼り合わせて、底部の幅３４６ｍｍ、底部の長さ５０９ｍｍを有するトレー状の段ボール箱を作製した。
【実施例２】
【００３６】
上記平坦な中芯が貼着されていない基本構成のＡ段ボールを用いて実施例１と同様なトレー状の段ボール箱を作製した。
【００３７】
上記実施例１では、図４に示すように底部（１０）の内面がスコア（ｈ）方向に蒲鉾状の凸部を形成し、その凸部の高さ（Ｈ）は、最大で５ｍｍであった。
【００３８】
これに対し実施例２では、ほぼ平坦な底部内面であった。
【図面の簡単な説明】
【００３９】
【図１】本発明の底弛み防止段ボール箱の一実施の形態を示す斜視図である。
【図２】本発明の底弛み防止段ボール箱を構成するブランクの一実施の形態を示す斜視図である。
【図３】本発明の底弛み防止段ボール箱を構成するブランクの一実施の形態を示すもので、（ａ）は、図２のＡ−Ａ面を表す断面図であり、（ｂ）は、図２のＢ−Ｂ面を表す断面図である。
【図４】本発明の底弛み防止段ボール箱の一実施の形態を示すもので、図１のＢ−Ｂ面を表す断面図である。
【図５】本発明の底弛み防止段ボール箱を構成するブランクの他の一実施の形態を示す展開図である。
【図６】本発明の底弛み防止段ボール箱を構成するブランクの他の一実施の形態を示すもので、（ａ）は、その展開図であり、（ｂ）は、そのブランクにより製函した底弛み防止段ボール箱の斜視図である。
【符号の説明】
【００４０】
１‥‥底弛み防止段ボール箱
３‥‥ブランク
１０‥‥底部
１２‥‥側面部
１２ａ‥‥折込みフラップ
１２ｂ‥‥側面外側折り返し片
１４‥‥妻面部
１４ａ‥‥表面内側折り返し片
１４ｂ‥‥差込み片付折込みフラップ
１５‥‥把手孔
２０‥‥表ライナー
２２‥‥平坦な中芯
２２ａ‥‥平坦な中芯の表ライナー側の面
２４‥‥波形中芯
２４ａ‥‥表側のフルートの山部の頂点
２４ｂ‥‥裏側のフルートの山部の頂点
Ｈ‥‥蒲鉾状の凸部の高さ
ｇ‥‥クリーズ
ｈ‥‥スコア
【図１】
2005075358.tif 000003
【図２】
2005075358.tif 000004
【図３】
2005075358.tif 000005
【図４】
2005075358.tif 000006
【図５】
2005075358.tif 000007
【図６】
2005075358.tif 000008